(57)【要約】【課題】インストルメントパネルの質感低下を防止し得るようにする。【解決手段】グローブボックス３０の物品収納本体３２は、インストルメントパネル１０におけるパネル基材１２の内部に昇降可能に配設される支持体６０に、ヒンジ部材６４を介して回動可能に支持される。支持体６０は、該支持体６０を少なくとも上昇移動させ得る流体アクチュエータ６２に連結されている。これによりグローブボックス３０は、物品収納本体３２をインストルメントパネル１０内へ格納した閉成位置へ姿勢変位させた際に、流体アクチュエータ６２の付勢作動下に支持体６０を上昇移動させることで、該閉成位置から僅かに上昇した位置で完全閉成状態となる。【選択図】  図２
2004203349.tif 000002
【特許請求の範囲】
【請求項１】
車両用インストルメントパネル(10)に設置され、物品収納本体(32)を、該インストルメントパネル(10)内へ格納した閉成位置と該インストルメントパネル(10)の手前側へ傾倒させた開放位置との間で回動変位させるようにしたグローブボックスの開閉構造において、
前記インストルメントパネル(10)の内部に昇降可能に配設され、前記物品収納本体(32)を回動可能に支持する支持体(60)と、
前記支持体(60)に接続され、該支持体(60)を少なくとも上昇移動させ得る駆動手段(62)とを備え、
前記物品収納本体(32)を前記閉成位置へ姿勢変位させた際に、前記駆動手段(62)の駆動下に前記支持体(60)を上昇移動させて、該物品収納本体(32)を前記閉成位置から僅かに上昇した位置で完全閉成状態となるよう構成した
ことを特徴とするグローブボックスの開閉構造。
【請求項２】
前記物品収納本体(32)が上昇移動した際には、該物品収納本体(32)の前側の上端面(34a)が、前記インストルメントパネル(10)の前面下端(12a)より内側上方に位置するようになる請求項１記載のグローブボックスの開閉構造。
【請求項３】
前記物品収納本体(32)の近傍に配設した第１検出手段(80)と、該物品収納本体(32)の所要位置に設けた第１被検出部(74)とを更に備え、
前記物品収納本体(32)を前記閉成位置へ姿勢変位させた際に、前記第１検出手段(80)が前記第１被検出部(74)を検出することで、前記駆動手段(62)を駆動させるようになっている請求項１または２記載のグローブボックスの開閉構造。
【請求項４】
前記物品収納本体(32)の前側に配設された開閉操作部(36)に設けた係止部(38)と、前記インストルメントパネル(10)に設けた係止受部(26)とを更に備え、
前記物品収納本体(32)が上昇移動した際には前記係止部(38)が前記係止受部(26)に係止され、該物品収納本体(32)を完全閉成状態に保持するようにした請求項１〜３の何れかに記載のグローブボックスの開閉構造。
【請求項５】
前記開閉操作部(36)の近傍に配設した第２検出手段(84)と、該開閉操作部(36)の所要位置に設けた第２被検出部(88)とを更に備え、
前記開閉操作部(36)を操作して前記係止部(38)と係止受部(26)との係止を解除させた際に、前記第２検出手段(84)が前記第２被検出部(88)を検出し、この検出信号に基づいて前記駆動手段(62)が駆動するようになっている請求項１〜４の何れかに記載のグローブボックスの開閉構造。
【請求項６】
前記駆動手段(62)は、空気またはオイル等の流体を作動媒体とした流体アクチュエータである請求項１〜５の何れかに記載のグローブボックスの開閉構造。
【請求項７】
前記駆動手段(62)は電動モータである請求項１〜５の何れかに記載のグローブボックスの開閉構造。
【発明の詳細な説明】
【０００１】
【発明の属する技術分野】
この発明は、グローブボックスの開閉構造に関し、更に詳細には、車両用インストルメントパネルに設置され、物品収納本体を、該インストルメントパネル内へ格納した閉成位置と該インストルメントパネルの手前側へ傾倒させた開放位置との間で回動変位させるようにしたグローブボックスの開閉構造に関するものである。
【０００２】
【従来の技術】
一般的に、乗用車における乗員室内の前方には、図１１に例示するように、所要形状に成形されて車幅方向の略全幅に亘って延在する大型のインストルメントパネル１０が設けられている。このインストルメントパネル１０は、車種毎に専用にデザインされた固有の形状とされており、基本的には所要の意匠形状に成形されたパネル基材１２を主体として、その運転席側には計器ユニット１４が配設されると共に、センターコンソール部にはオーディオユニット１６や空調操作パネル１８等が配設されている。また助手席側には、内部に格納したエアバッグ装置(図示せず)に対応したエアバッグドア２０や、車検証または身の回りの小間物を収納可能なグローブボックス３０が配設されている。
【０００３】
前記グローブボックス３０は、前記パネル基材１２における前側下部に形成された設置部２２に対し、該パネル基材１２に対してヒンジ部２４を介して開閉可能に設置されている。これにより、前記ヒンジ部２４を中心として、物品収納本体３２をインストルメントパネル１０内へ格納した閉成位置(図１２の実線表示状態)と、該物品収納本体３２を該インストルメントパネル１０の手前側へ傾倒させた開放位置(図１２の２点鎖線状態)とに姿勢変位可能となっている。なお、前記物品収納本体３２の前側に前面パネル３４が組付けられており、該物品収納本体３２が閉成位置に保持された状態では、前記前面パネル３４が前記設置部２２の開口領域に整合して、当該インストルメントパネル１０の意匠面を構成するようになっている(図１１)。
【０００４】
そして、前記物品収納本体３２の前側、すなわち前記前面パネル３４の中央上部に、係止部３８を設けた開閉操作レバー(開閉操作部)３６が回動可能に配設される一方、前記インストルメントパネル１０の内部において前記設置部２２の上方には、前記係止部３８が係脱可能に係止する係止受部(「ストライカ」と云う)２６が垂設されている。従ってグローブボックス３０は、前記閉成位置へ姿勢変位させた際(押込んだ際)に前記係止部３８が前記係止受部２６へ自動的に係止され、インストルメントパネル１０に対して閉成された状態に保持される。一方、前記開閉操作レバー３６を操作して前記係止部３８と係止受部２６との係止を解除させれば、前記開放位置まで回動する姿勢変位が許容されるようになる。なお、開放位置まで回動変位したグローブボックス３０は、図示しない回動規制手段により、それ以上に回動することが防止されるようになっている。なお、グローブボックスに関連する技術は、例えば特許文献１に開示されている。
【０００５】
【特許文献１】
実開平５−３７５９２号公報
【０００６】
【発明が解決しようとする課題】
ところで、前述した従来のグローブボックスの開閉構造は、前記ヒンジ部２４を中心として前記グローブボックス３０が回動変位して開閉するだけの構造であるため、図１１に示すように、前記前面パネル３４の上端面３４ａは、パネル基材１２の前面下端１２ａに整合するだけで何等保持されていない。このため、変形が何等発生しない通常状態であっても、前記前面パネル３４の上端面３４ａは常に乗員席側から視認されるようになると共に、パネル基材１２と前面パネル３４との間の隙間が大きくなって、パネインストルメントパネル１０の質感低下を招来することとなっていた。
【０００７】
一方、前記グローブボックス３０を構成する前記物品収納本体３２および前面パネル３４は、何れもポリプロピレン(ＰＰ)等を材質とする合成樹脂製の成形部材であるため、内部に収納した物品の重量や熱による影響等により変形し易くなっていると共に、経年変化によっても徐々に変形するようになる。殊に、前記係止部３８および係止受部２６の係止位置が、グローブボックス３０における左右中央の１ヶ所のみでなされるようになっているため、前述した変形が発生した際には、前面パネル３４の左上角部３４ｂおよび右上角部３４ｃが前側へ偏倚し易い。このため、前記前面パネル３４の上端面３４ａが一段と見えるようになると共に、パネル基材１２と前面パネル３４との間の隙間が更に大きくなるから、インストルメントパネル１０の質感がより一層低下することとなっていた。
【０００８】
【発明の目的】
本発明は、前述した課題を好適に解決するべく提案されたもので、インストルメントパネルの質感低下を防止し得るようにしたグローブボックスの開閉構造を提供することを目的とする。
【０００９】
【課題を解決するための手段】
前記課題を解決し、所期の目的を達成するため本発明は、車両用インストルメントパネルに設置され、物品収納本体を、該インストルメントパネル内へ格納した閉成位置と該インストルメントパネルの手前側へ傾倒させた開放位置との間で回動変位させるようにしたグローブボックスの開閉構造において、
前記インストルメントパネルの内部に昇降可能に配設され、前記物品収納本体を回動可能に支持する支持体と、
前記支持体に接続され、該支持体を少なくとも上昇移動させ得る駆動手段とを備え、
前記物品収納本体を前記閉成位置へ姿勢変位させた際に、前記駆動手段の駆動下に前記支持体を上昇移動させて、該物品収納本体を前記閉成位置から僅かに上昇した位置で完全閉成状態となるよう構成したことを特徴とする。
【００１０】
【発明の実施の形態】
次に、本発明に係るグローブボックスの開閉構造につき、好適な実施例を挙げて、添付図面を参照しながら以下説明する。なお、図１１および図１２を引用した従来技術の説明に際して既出の部材、部位と同一の部材、部位に関しては、同一の符号で指示する。
【００１１】
図１は、本発明の好適実施例に係るグローブボックスの開閉構造が実施されたインストルメントパネルの部分斜視図、図２は、図１のII−II線断面図である。
本実施例のグローブボックスの開閉構造は、様々なタイプのインストルメントパネルに実施可能であるが、ここでは図１１に例示したインストルメントパネル１０に実施する場合につき例示する。前記インストルメントパネル１０は、所要の意匠形状に成形されたパネル基材１２を主体とし、このパネル基材１２は上部半体１２Ａおよび下部半体１２Ｂとの上下組付タイプとされ、該上部半体１２Ａの外面には表皮材を被着して質感向上が図られている。そして、前記下部半体１２Ｂの助手席側における前側に、グローブボックス３０を配設するための前記設置部２２が設けられている。
【００１２】
本実施例のグローブボックス３０は、前記パネル基材１２(下部半体１２Ｂ)における前側下部に形成された前記設置部２２に対して収容可能なサイズに形成されており、バケット状の物品収納本体３２と、この物品収納本体３２と別体に成形されて該物品収納本体３２の前側にビス４０等で組付けられる前面パネル３４とから構成されている。前記物品収納本体３２は、ポリプロピレン(ＰＰ)等の合成樹脂を材質とする一体成形部材であり、内部に所要容積の物品収納空間４２が画成されていると共に、各種物品の出し入れを許容する物品出入口４４が上部に形成されている。また前記前面パネル３４は、同じくポリプロピレン(ＰＰ)等の合成樹脂を材質とする一体成形部材であり、前記設置部２２の開口領域に合致するサイズ・形状とされて、前記パネル基材１２の一部を構成するようになっている。
【００１３】
そして、すなわち前記前面パネル３４の中央上部に形成した凹部４６に、当該グローブボックス３０の開閉操作を行なうための開閉操作レバー(開閉操作部)３６が、支持軸４８を介して回動可能に配設されている。この開閉操作レバー３６は、前面パネル３４の外側へ露出して指先を掛け得るようになっている操作部５０と、この操作部５０の背面から後方側に一体的に形成され、前記凹部４６に形成した開口部４６ａを介して該前面パネル３４と前記物品収納本体３２との間の空間へ延出する前記係止部３８とから構成されている。そして後述するように、グローブボックス３０が完全閉成位置へ上昇変位した際には、前記インストルメントパネル１０(パネル基材１２)の内部において前記設置部２２の上方に垂設した前記係止受部(「ストライカ」と云う)２６に係脱可能に係止され、当該グローブボックス３０を完全閉成状態に保持するようになる。なお、前記物品収納本体３２の上部前側には、前記係止受部２６の挿通を許容する開口部５２が形成されている。
【００１４】
前述のように構成されたグローブボックス３０に採用される本実施例の開閉構造は、図３および図４に示すように、前記インストルメントパネル１０の内部に昇降可能に配設され、前記物品収納本体３２を回動可能に支持する支持体６０と、前記支持体６０に接続され、該支持体６０を少なくとも上昇移動させ得る駆動手段６２とを備えている。そして、支持体６０および駆動手段６２を装備することにより、後述するように、前記物品収納本体３２を前記閉成位置へ姿勢変位させた際に、前記駆動手段６２の駆動下に前記支持体６０を上昇移動させて、該物品収納本体３２を前記閉成位置から僅かに上昇した位置(完全閉成位置)で完全閉成状態とし得るようになっている。
【００１５】
前記支持体６０は、例えばスチールやアルミニウム等を材質とする金属製または合成樹脂製とされ、前記グローブボックス３０の物品収納本体３２の底部および側部に沿って延在する所要幅のコ字状枠体に成形されて、水平に延在する水平支持部６０ａおよび該水平支持部６０ａの両端から垂直上方へ延在する垂直支持部６０ｂ,６０ｂとから構成されている。そして前記水平支持部６０ａには、前記物品収納本体３２の底部に前記ビス４０を利用して固定される２つのヒンジ部材６４,６４が、スポット溶接またはビス固定等により固定されている。また、前記各々の垂直支持部６０ｂ,６０ｂの略中間部位には、前記駆動手段６２との接続を図るための連結片６６が、水平側方へ延出した状態に配設されている。なお、このように構成された支持体６０は、パネル基材１２の内側に配設されたガイドレール等の案内部材(図示せず)に支持され、これに沿って昇降移動するようになる。
【００１６】
本実施例における前記駆動手段６２は、例えば空気またはオイル等の流体を作動媒体とした複動タイプの流体アクチュエータであって、前記パネル基材１２の所要位置または図示しない車体構成部材(リィンフォースバー)に、バレル７０が固定支持されている。そして、バレル７０の下端(ヘッド)から延出したロッド７２の先端が、支持体６０の前記垂直支持部６０ｂに配設した前記連結片６６に連結されている。これにより、各々の流体アクチュエータ６２,６２を前記ロッド７２が前進するよう連動的に作動させた場合には、前記支持体６０が下降移動するようになり、また各々の流体アクチュエータ６２,６２を前記ロッド７２が後退するよう連動的に作動させた場合には、該支持体６０が上昇移動するようになっている。
【００１７】
また、前記物品収納本体３２の左側面および右側面には、水平側方へ延出した棒状のガイド軸７４が形成されている。また図３に示すように、前記パネル基材１２の下部半体１２Ｂにおいて前記設置部２２に隣接するよう一体成形された内壁部７６には、前記ガイド軸７４が貫通状態で挿通されるガイド溝７８が形成されている。このガイド溝７８は、実施例のグローブボックス３０の姿勢変位(回動変位および昇降変位)に伴う前記ガイド軸７４の移動軌跡に沿って形成されており、所要長の円弧部７８ａおよび垂直部７８ｂとからなっている。換言すると、実施例のグローブボックス３０は、ガイド溝７８に挿通された前記ガイド軸７４および前記支持体６０の位置とにより、姿勢制御が図られるようになっている。なお、前記円弧部７８ａと垂直部７８ｂとが連設する屈曲部において、該円弧部７８ａの端部側には、適宜の凹部７８ｃが形成されている。
【００１８】
そして実施例の開閉構造では、前記物品収納本体３２の近傍、すなわち前記内壁部７６において、前記ガイド溝７８の凹部７８ｃに隣接した部位に、第１検出手段としての第１検出スイッチ８０を備えている。この第１検出スイッチ８０は例えばリミットスイッチであって、そのピンプランジャ８２を前記凹部７８ｃへ突出させた状態に配設されている。これにより、グローブボックス３０(物品収納本体３２)を前記閉成位置まで押込んで姿勢変位させた際に、第１被検出部としての前記ガイド軸７４が前記凹部７８ｃに到来して前記ピンプランジャ８２を押圧するようになり、この押圧により検出信号を送出するようになっている。そして、前記第１検出スイッチ８０からの検出信号が送出された場合には、前記流体アクチュエータ６２をロッド７２が後退するように駆動制御して、前記支持体６０を僅かに上昇移動させるようにしてある。すなわち、前記物品収納本体３２の近傍に配設した前記第１検出スイッチ(第１検出手段)８０と、該物品収納本体３２の所要位置(側面)に設けた前記ガイド軸(第１被検出部)７４とを備えることで、前記流体アクチュエータ６２を適時に駆動制御して、グローブボックス３０を前記閉成位置から僅かに上昇した完全閉成位置へ移動させ得る。
【００１９】
また実施例の開閉構造では、前記開閉操作レバー３６の近傍、すなわち前記前面パネル３４と物品収納本体３２との間に画成された前記空間に、第２検出手段としての第２検出スイッチ８４を備えている。また、前記開閉操作レバー３６に形成した係止部３８の下面角部が、前記第２検出スイッチ８４のピンプランジャ８６を押圧する第２被検出部としての押圧部８８となっている。これにより、前記開閉操作レバー３６を操作して前記係止部３８と係止受部２６との係止を解除させるに際し、前記押圧部８８が前記第２検出スイッチ８４を押圧するようになり、この押圧により検出信号を送出するようになっている。そして、この第２検出スイッチ８４からの検出信号が送出された場合には、前記流体アクチュエータ６２をロッド７２が前進するよう駆動制御して、前記支持体６０を下降移動させるようにしてある。すなわち、前記開閉操作レバー３６の近傍に配設した前記第２検出スイッチ(第２検出手段)８４と、該開閉操作レバー３６の所要位置に設けた前記押圧部(第２被検出部)８８とを備えることで、前記流体アクチュエータ６２を適時に駆動制御して、グローブボックス３０を前記完全閉成位置から僅かに下降した閉成位置へ移動させ得る。
【００２０】
【実施例の作用】
次に、前述のように構成された本実施例に係るグローブボックスの開閉構造の作用につき、図５〜図９を引用して説明する。
【００２１】
実施例のグローブボックス３０は、別途成形した前記支持体６０の水平支持部６０ａに設けたヒンジ部材６４,６４を、該グローブボックス３０の物品収納本体３２の底部にビス４０により固定することで、該物品収納本体３２を回動可能に支持するようになる。このように、支持体６０を取付けたグローブボックス３０は、前記各々のガイド軸７４を対応のガイド溝７８に嵌挿させると共に、前記支持体６０の垂直支持部６０ｂ,６０ｂに設けた連結片６６に前記流体アクチュエータ６２のロッド７２を連結することで、インストルメントパネル１０のパネル基材１２に設けた設置部２２に対して組付けられる。すなちわグローブボックス３０は、支持体６０に設けたヒンジ部材６４および前記ガイド溝７８に係合したガイド軸７４とにより、パネル基材１２に組付けられている。
【００２２】
このような組付状態において、グローブボックス３０をインストルメントパネル１０に対して閉成保持させる場合は、図２に示すように、前記流体アクチュエータ６２をロッド７２が後退するよう制御することで支持体６０を上昇移動させた状態とすればよく、この状態をグローブボックス３０の「完全閉成位置」とする。この完全閉成位置においては、前記開閉操作レバー３６の係止部３８が前記係止受部２６に係止される一方、前記ガイド軸７４がガイド溝７８における垂直部７８ｂの上部に位置している。また、物品収納本体３２の前側上端、すなわち前記前面パネル３４の上端面３４ａは、前記インストルメントパネル１０のパネル基材１２において設置部２２に隣接した前記前面下端１２ａよりも、所要量だけ内側上方に位置するようになる。従って、インストルメントパネル１０の前側から見た場合、前記前面パネル３４の上端面３４ａはパネル基材１２に隠れて全く視認されない。
【００２３】
前述した完全閉成位置に停止保持されているグローブボックス３０をインストルメントパネル１０から開放させる場合には、図１２に示した従来のグローブボックス３０と同様に、前記開閉操作レバー３６を該パネル１０の手前側へ引張ればよい。この際に、図５に示すように、前記開閉操作レバー３６に設けた係止部３８と前記係止受部２６との係止が解除されると同時に、該開閉操作レバー３６に設けた前記押圧部８８が前記第２検出スイッチ８４のピンプランジャ８６を押圧するようになる。これにより、前記流体アクチュエータ６２が作動制御されてロッド７２が前進するため、図６に示すように、これに連動して前記支持体６０が下降移動するようになり、グローブボックス３０が「閉成位置」まで下降移動する。なお、物品収納本体３２の下降に伴い、前記各々のガイド軸７４はガイド溝７８の垂直部７８ｂに沿って下降するようになるため、グローブボックス３０の姿勢は閉成状態に保持されている。
【００２４】
そして前記閉成位置においては、前記係止受部２６が前記物品収納本体３２の開口部５２から抜け出る一方、前記ガイド軸７４がガイド溝７８における垂直部７８ｂと円弧部７８ａの屈曲部に位置している。但し、この際には、前記第１検出スイッチ８０のピンプランジャ８２が屈曲部より後退した凹部７８ｃに位置しているため、前記ガイド軸７４が該ピンプランジャ８２を押圧することはない。
また、物品収納本体３２の前側上端、すなわち前記前面パネル３４の上端面３４ａは、前記インストルメントパネル１０のパネル基材１２における前面下端１２ａよりも、所要量だけ下方に位置するようになる。
【００２５】
前記閉成位置への下降移動が完了したグローブボックス３０は、前記ガイド軸７４がガイド溝７８の円弧部７８ａに位置するようになるため、該ガイド軸７４が円弧部７８ａに沿った移動が可能となり、前記ヒンジ部材６４をヒンジポイントとした回動変位が許容される。これにより、図７に示すように、前記ガイド軸７４が円弧部７８ａの端部に到達するまで、インストルメントパネル１０の手前側への回動が許容され、所要角度の傾倒状態となった「開放位置」で停止保持される。このように、グローブボックス３０が開放位置に保持された状態では、前記物品収納本体３２の物品出入口４４がインストルメントパネル１０の手前側に臨むようになるので、該物品収納本体３２の物品収納空間４２に対する物品の出入れが許容される。この際、グローブボックス３０が下降したもとで開放するため、前面パネル３４の上端面３４ａとパネル基材１２の前面下端１２ａとの間隔が大きくなり、物品収納本体３２の物品収納空間４２に対する物品の出入れを行ない易くなる。
【００２６】
前述した開放位置に停止保持されているグローブボックス３０をインストルメントパネル１０に閉成させる際には、図１２に示した従来のグローブボックス３０と同様に、前記前面パネル３４の上部を手で押圧して、該グローブボックス３０を前記閉成位置まで押込むようにすればよい(図８)。この際に、前記グローブボックス３０を最後まで完全に押込むことで、前記ガイド溝７８の円弧部７８ａに沿って移動したガイド軸７４が前記凹部７８ｃに到来して、前記第１検出スイッチ８０のピンプランジャ８２を押圧するようになる。これにより、前記流体アクチュエータ６２が作動制御されてロッド７２が後退するため、図９に示すように、これに連動して前記支持体６０が上昇移動すると共にグローブボックス３０が前記完全閉成位置まで上昇移動する。なお、グローブボックス３０が上昇移動を開始すると同時に、前記ガイド軸７４がガイド溝７８の垂直部７８ｂへ進入するため、該グローブボックス３０の前後方向への姿勢変位が規制されるようになり、前記前面パネル３４の上端面３４ａがパネル基材１２の前面下端１２ａに干渉することはない。
【００２７】
前記流体アクチュエータ６２の作動制御によりグローブボックス３０が完全閉成位置へ到来する際しては、前記開閉操作レバー３６の係止部３８が係止受部２６に適宜押圧されて姿勢変位し、前記押圧部８８が前記第２検出スイッチ８４のピンプランジャ８６を押圧するようになる。これにより、前記流体アクチュエータ６２の停止制御が図られると共に、前記係止部３８が係止受部２６に自動的に係止されるようになり、グローブボックス３０は前記完全閉成位置で完全閉成状態に停止保持される。
【００２８】
前記グローブボックス３０が完全閉成位置に停止保持されている状態では、前述したように、物品収納本体３２の前側上端、すなわち前記前面パネル３４の上端面３４ａが、前記インストルメントパネル１０のパネル基材１２における前面下端１２ａよりも所要量だけ内側上方に位置するようになるため(図２,図９)、該上端面３４ａはインストルメントパネル１０の前側からは全く視認されない(図１)。従って、前面パネル３４の上端面３４ａとパネル基材１２の前面下端１２ａとの間に間隙が全く画成されなくなるため、図１１および図１２に例示した従来のグローブボックス３０に内在した問題が発生することがなくなり、インストルメントパネル１０の質感低下を招来することが防止される。
【００２９】
また、物品収納本体３２および前面パネル３４に、該物品収納本体３２に収納した物品の重量や熱による変形等が生じた場合でも、該前面パネル３４の上端縁３４ａは依然として隠れた状態に保持されて全く見えないため、インストルメントパネル１０の質感低下を招来することが防止される。
【００３０】
なお前記実施例では、前記ガイド溝７８の垂直部７８ｂを直線に形成した場合を例示したが、この垂直部７８ｂは、図１０に例示するように、インストルメントパネル１０の内側方向へ湾曲した曲線状に形成するようにしてもよい。ガイド溝７８の垂直部７８ｂをこのように形成した場合、前記閉成位置から前記完全閉成位置へ上昇変位するに際し、グローブボックス３０はインストルメントパネル１０の内側方向へ若干傾倒変位しつつ上昇するようになるため、前記前面パネル３４の上端縁３４ａとパネル基材１２の前面下端１２ａとの干渉が確実に回避される。従って、例えば前記前面パネル３４に前述した変形が発生した場合にあっても、該前面パネル３４とパネル基材１２との干渉を確実に回避することができる。
【００３１】
また、前記実施例で例示した駆動手段としての流体アクチュエータ６２では、ロッド７２を前進作動および後退作動させ得る「複動タイプ」を採用した場合を説明したが、この流体アクチュエータ６２は「単動タイプ」を採用することも可能である。この単動タイプを採用する場合には、ロッド７２の後退時にのみ作動制御されてグローブボックス３０の上昇変位を行なうようにし、ロッド７２の前進時には前記第２検出スイッチ８４の検出信号により作動制御を解除することで、グローブボックス３０の自重により該ロッド７２が前進して該グローブボックス３０の下降移動を許容するようになる。
【００３２】
また前記駆動手段６２は、前記流体アクチュエータに限定されるものではなく、例えば電気を駆動源とする電動モータ等としてもよい。
【００３３】
【発明の効果】
以上説明した如く、本発明に係るグローブボックスの開閉構造によれば、駆動手段により昇降移動される支持体で物品収納本体を支持するようにしたので、完全閉成位置に保持させた状態においては、該物品収納本体の前側上端とインストルメントパネルの前面下端との間に間隙が全く画成されないと共に、該物品収納本体の前側上面が全く視認されることがなくなり、当該インストルメントパネルの質感低下を招来することを防止し得る利点がある。
また物品収納本体に、収納した物品の重量や熱による変形等が生じた場合でも、該物品収納本体の上端縁は依然として隠れた状態に保持されて全く見えないため、インストルメントパネルの質感低下を招来するとが防止される等の利点もある。
【図面の簡単な説明】
【図１】本発明の好適実施例に係るグローブボックスの開閉構造が実施されたインストルメントパネルの部分斜視図である。
【図２】図１のII−II線断面図である。
【図３】グローブボックスの開閉構造を、パネル基材を一部破断した状態で示した斜視図である。
【図４】グローブボックス、該グローブボックスを支持する支持体および流体アクチュエータを示した斜視図である。
【図５】グローブボックスの開放態様を示した説明断面図であって、完全閉成位置にグローブボックスが停止保持されているもとで、開閉操作レバーの操作により第２検出スイッチが押圧されることを示している。
【図６】グローブボックスの開放態様を示した説明断面図であって、第２検出スイッチによる検出信号により流体アクチュエータが作動して支持体が下降移動することで、グローブボックスが閉成位置まで下降移動することを示している。
【図７】グローブボックスの開放態様を示した説明断面図であって、グローブボックスが開放位置まで回動変位した状態を示している。
【図８】グローブボックスの閉成態様を示した説明断面図であって、開放位置にあったグローブボックスを閉成位置まで押込むことで、ガイド軸により第１検出スイッチが押圧されることを示している。
【図９】グローブボックスの閉成態様を示した説明断面図であって、第１検出スイッチによる検出信号により流体アクチュエータが逆に作動して支持体が上昇移動することで、グローブボックスが完全閉成位置まで上昇移動することを示している。
【図１０】ガイド溝の変更例を例示した説明断面図である。
【図１１】従来のグローブボックスの開閉構造が採用されたインストルメントパネルの概略斜視図である。
【図１２】図１１のＸ−Ｘ線断面図である。
【符号の説明】
１０  インストルメントパネル          １２ａ  前面下端
２６  係止受部                        ３２  物品収納本体
３４ａ  上端面                        ３６  開閉操作レバー(開閉操作部)
３８  係止部                          ６０  支持体
６２  流体アクチュエータ(駆動手段)    ７４  ガイド軸(第１被検出部)
８０  第１検出スイッチ(第１検出手段)
８４  第２検出スイッチ(第２検出手段)
８８  押圧部(第２被検出部)
【図１】
2004203349.tif 000003
【図２】
2004203349.tif 000004
【図３】
2004203349.tif 000005
【図４】
2004203349.tif 000006
【図５】
2004203349.tif 000007
【図６】
2004203349.tif 000008
【図７】
2004203349.tif 000009
【図８】
2004203349.tif 000010
【図９】
2004203349.tif 000011
【図１０】
2004203349.tif 000012
【図１１】
2004203349.tif 000013
【図１２】
2004203349.tif 000014